【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
動脈瘤を治療するシステムであって、
第１のカテーテルおよび第２のカテーテルであって、前記各カテーテルはエンドバッグを有し、前記エンドバッグは動脈瘤に合致する外壁と、内壁を形成する血液が通過する内腔を備える二重壁充填構造体とを備え、前記内壁は前記カテーテルに解放可能に接続されるエンドフレームを囲み、未拡張の構成において後退可能なシースによって圧縮されて保持される第１のカテーテルおよび第２のカテーテルであって、エンドバッグ加圧管路は前記エンドバッグに解放可能に接続される一端を有し、前記エンドバッグの前記内部と連通する内部内腔を有し、前記エンドバッグ加圧管路の一方の端部は前記シース内に延在し、前記カテーテル外部のエンドバッグ加圧管と連通し、非柔軟性バルーンを拡張するエンドフレームの内部は前記カテーテル外部のエンドフレーム加圧管と連通し、前記カテーテルのガイドワイヤ内腔は前記カテーテル外部に延在するガイドワイヤ内腔加圧管と連通する、第１のカテーテルおよび第２のカテーテルと、
連続マニホールドコンソールであって、２つのエンドバッグ加圧管排出ポートと、２つのエンドフレーム加圧管排出ポートと、２つのガイドワイヤ内腔加圧排出ポートとを有し、前記２つのポートのうち１つは、前記第１のカテーテルおよび前記第２のカテーテル両方の外部の前記対応する加圧管の前記端部に接続可能であり、前記マニホールドコンソールは、連続注入ポートをさらに有し、第１の注入ポートは前記２つのエンドバッグ加圧管排出ポートと連通し、第２の注入ポートは前記２つのエンドフレーム加圧管排出ポートと連通し、第３の注入ポートは前記２つのガイドワイヤ内腔加圧排出ポートと連通し、前記第１および前記第２のカテーテルからの前記管の端部が前記対応するマニホールドコンソール排出ポートに接続する場合は、前記対応する注入ポートの加圧は前記第１のカテーテルおよび前記第２のカテーテル両方の前記対応する圧力含有通路を同時に均等に加圧し、前記第１、第２、および第３の注入ポートは、並べて連続して構成され、第１、第２、および第３のポートの前記連続した構成は、前記第１および第２のカテーテルエンドバッグ加圧管、エンドフレーム加圧管およびガイドワイヤ内腔加圧管への圧力の印加からなるオペレータの一連の所望する手順に合致するように構成されている、連続マニホールドコンソールと、
を備える、システム。
【請求項２】
動脈瘤を治療するシステムであって、前記連続マニホールドコンソールは単一のオペレータによって操作可能であり、ポリマ硬化表示器を含み、前記ポリマ硬化表示器は、前記エンドバッグ加圧注入ポートと前記２つのエンドバッグ加圧排出ポートとの間の前記管路のポリマ流路に沿って前記エンドバッグ加圧管路の透光部分に面する色づけされた表面を備え、これによって前記管路が空であるとき、または加圧されて未硬化ポリマを含有するときに、前記色づけされた表面の色を前記管路の前記透光部分を通して見ることができ、前記色づけされた表面の前記色は、前記ポリマが硬化するにつれて、前記ポリマの透光性の変化によって少なくとも部分的に遮られ、このため前記ポリマの前記硬化状態から、前記オペレータが前記色づけされた表面を見ることが阻止されることによって、視覚的な確認を提供する、請求項１に記載の動脈瘤を治療するシステム。
【請求項３】
前記連続マニホールドコンソールは第４の注入ポートを含み、前記第４の注入ポートは前記マニホールドコンソールの前記エンドバッグ加圧管路とも連通し、前記第４のポートは前記第１の注入ポートとは隣接して配置されていない、請求項１に記載の動脈瘤を治療するシステム。
【請求項４】
前記連続マニホールドコンソールは第４の注入ポート流量弁を含み、前記第４の注入ポート流量弁は閉鎖しているときに、前記連続マニホールドコンソールの前記エンドバッグ加圧管路と前記第４の注入ポートとの間の流れを防止する、請求項３に記載の動脈瘤を治療するシステム。
【請求項５】
前記連続マニホールドコンソールは第３の注入ポート流量弁を含み、前記第３の注入ポート流量弁は閉鎖しているときに、前記連続マニホールドコンソールの前記ガイドワイヤ内腔加圧管路と前記第３の注入ポートとの間の流れを防止する、請求項３に記載の動脈瘤を治療するシステム。
【請求項６】
連続マニホールドコンソールであって、
２つのエンドバッグ加圧管排出ポートと、
２つのエンドフレーム加圧管排出ポートと、
２つのガイドワイヤ内腔加圧排出ポートと、
を備え、
前記２つのポートの少なくとも１つは、第１のカテーテルと第２のカテーテル両方の外部の加圧管の対応する端部に接続可能であり、前記マニホールドコンソールは連続注入ポートをさらに有し、第１の注入ポートは前記２つのエンドバッグ加圧管排出ポートと連通し、第２の注入ポートは前記２つのエンドフレーム加圧管排出ポートと連通し、第３の注入ポートは前記２つのガイドワイヤ内腔加圧排出ポートと連通し、前記第１および前記第２のカテーテルからの前記管端部が前記対応するマニホールドコンソール排出ポートに接続する場合、前記対応する注入ポートの加圧は、前記第１のカテーテルおよび前記第２のカテーテルの両方につながる対応する圧力含有通路を同時に均等に加圧し、前記第１、第２、および第３の注入ポートは並べて構成され、第１、第２、および第３のポートの前記構成は、前記接続可能な第１および第２のカテーテルエンドバッグ加圧管、エンドフレーム加圧管およびガイドワイヤ内腔加圧管への圧力の印加からなるオペレータの一連の所望する手順に合致するように構成されている、連続マニホールドコンソール。
【請求項７】
連続マニホールドコンソールであって、前記連続マニホールドコンソールはポリマ硬化表示器を含み、前記ポリマ硬化表示器は、前記エンドバッグ加圧注入ポートと前記２つのエンドバッグ加圧排出ポートとの間の前記管路のポリマ流路に沿って、前記エンドバッグ加圧管路の透光部分に面する色づけされた表面を備え、これによって前記管路が空であるか、または加圧されて未硬化ポリマを含有するときに、前記色づけされた表面の色を前記管路の前記透光部分を通して見ることができ、前記色づけされた表面の前記色は、前記ポリマが硬化するにつれて、前記ポリマの透光性の変化によって少なくとも部分的に遮られ、このため前記ポリマの前記硬化状態から、前記オペレータが前記色づけされた表面を見ることが妨害されることによって、視覚的な確認を提供する、請求項６に記載の連続マニホールドコンソール。
【請求項８】
前記連続マニホールドコンソールは第４の注入ポートを含み、前記第４の注入ポートは前記マニホールドコンソールの前記エンドバッグ加圧管路とも連通し、前記第４のポートは前記第１の注入ポートとは隣接して配置されない、請求項７に記載の連続マニホールドコンソール。
【請求項９】
前記連続マニホールドコンソールは第４の注入ポート流量弁を含み、前記第４の注入ポート流量弁は閉鎖しているときに、前記連続マニホールドコンソールの前記エンドバッグ加圧管路と前記第４の注入ポートとの間の流れを防止する、請求項８に記載の連続マニホールドコンソール。
【請求項１０】
前記連続マニホールドコンソールは第３の注入ポート流量弁を含み、前記第３の注入ポート流量弁は閉鎖しているときに、前記連続マニホールドコンソールの前記ガイドワイヤ内腔加圧管路と前記第３の注入ポートとの間の流れを防止する、請求項３に記載の連続マニホールドコンソール。